(57)【要約】【課題】ブローバイガスに含まれているオイルミストの補集機能を向上させる。【解決手段】シリンダブロック１に、クランク室１３に開口した上下長手のブローバイガス通路１４を設けている。ブローバイガス通路１４の下部にオイル通路１５を開口させて、ブローバイガスに向けてオイルを噴出させる。オイルミストはオイル流に付着して流下し、オイルパンに流れ込む。ブローバイガスはシャワー状のオイルの流れに晒されるため、オイルミストがオイル流に接触する機会は非常に高くなる。その結果、オイルミストの補集性能を向上できる。特別の部材を設けたりブローバイガス通路１４を改変したりする必要はないため、コスト的にも優れている。【選択図】図１
2014125952.tif 000002
【特許請求の範囲】
【請求項１】
ブローバイガス通路をクランク室から吸気系に還流させるブローバイガス通路と、前記ブローバイガス通路に向けてオイルを吐出させるオイル通路を設けている、
内燃機関。
【請求項２】
前記ブローバイガス通路の始端部はクランク室の内部に向けて下向きに開口しており、前記オイル通路を、オイルが前記ブローバイガス通路の始端部に向けて略下向きに吐出するように設けている、
請求項１に記載した内燃機関。
【発明の詳細な説明】
【技術分野】
【０００１】
本願発明は、ブローバイガス通路を備えた内燃機関に関するものである。
【背景技術】
【０００２】
内燃機関では未燃焼ガスがクランク室に吹き抜ける現象があり、そこで、クランク室に吹き抜けた燃料を吸気系に戻すためのブローバイガス通路を設けているが、クランク室にはオイルミストが浮遊しているため、オイルミストがブローバイガスの流れに乗って持ち去られて、オイルが無駄に消費されてしまうことがある。
【０００３】
そこで、ブローバイガスからオイルを分離してクランク室（或いはオイルパン）に戻すことが行われており、その例として特許文献１には、ブローバイガス通路に気液分離室を設けて、この気液分離室に邪魔板を設けることが開示されている。
【先行技術文献】
【特許文献】
【０００４】
【特許文献１】特開２００８−２４０６２９号公報
【発明の概要】
【発明が解決しようとする課題】
【０００５】
特許文献１は簡単な構造でオイルを分離できる利点があるが、ブローバイガスに含まれているミストの全部が邪魔板に接触するとは言えないため、オイルの除去性能の点ではまだ改善の余地があると云える。
【０００６】
本願発明はかかる現状に鑑み成されたものであり、ブローバイガス通路からオイルミストを除去するにおいて、簡単な構造でオイル分離性能をアップさせることを目的とするものである。
【課題を解決するための手段】
【０００７】
前記目的を達成すべく本願発明は、請求項１のとおり、ブローバイガス通路をクランク室から吸気系に還流させるブローバイガス通路と、前記ブローバイガス通路に向けてオイルを吐出させるオイル通路を設けている構成とした。
【０００８】
本願発明は請求項２の発明も含んでいる。この発明は、請求項１において、前記ブローバイガス通路の始端部はクランク室の内部に向けて下向きに開口しており、前記オイル通路を、オイルが前記ブローバイガス通路の始端部に向けて略下向きに吐出するように設けている。
【発明の効果】
【０００９】
さて、水の微細な粒からなる霧は空中に漂っていて風に乗って上昇するが、大粒の雨は重力によって下に落ちるだけであり、空中に漂うようなことはない。これと同様に、オイル通路から吐出されたオイルはブローバイガス通路を流下するだけであるが、ブローバイガス通路にいわばオイルの壁ができることにより、ブローバイガスに乗って流れてきたオイルミストは流下するオイル流に付着吸収される。
【００１０】
そして、オイルはブローバイガス通路の内部をランダムに流れるため、オイルミストがオイル流に接触する割合を固定式の邪魔板を設けた場合に比べて遙かに大きくすることができ、その結果、極めて高いオイル分離効果を発揮できる。しかも、オイル通路からオイルをブローバイガス通路に吐出させるだけであるため、構造は簡単であるのみならず、ブローバイガス通路を広げるような必要はなく、シリンダブロックの大型化のような問題は生じない（むしろ、オイル流へのオイルミストの接触機会を増大させるには、ブローバイガス通路はできるだけ小径であるのが好ましい。）。
【００１１】
請求項１ではオイル通路の位置に限定はないが、請求項２のようにオイルをブローバイガス通路の始端部において下向きに吐出させると、オイルミストを吸収したオイルはすぐにクランク室に流下してオイルパンに流れ込む。このため、ブローバイガス通路がオイルで過剰に濡れることを防止しつつ、オイルミストをオイル流に的確に補集できる。
【図面の簡単な説明】
【００１２】
【図１】実施形態示す概略図であり、（Ａ）は全体気概略図、（Ｂ）は（Ａ）の部分拡大図、（Ｃ）（Ｄ）は他の実施形態を示す図である。
【発明を実施するための形態】
【００１３】
次に、本願発明の実施形態を図面に基づいて説明する。内燃機関の構造は基本的には従来と同様であり、機関本体としてシリンダブロック１と、これにガスケットを介して重ね固定されたシリンダヘッド２とを有している。
【００１４】
シリンダブロック１にはピストン３が往復動するシタンダボア４を開口させており、ピストン３は連設棒５を介してクランク軸６に連結されている。シリンダヘッド２には、吸気弁７で開閉される吸気ポート８と排気弁９で開閉される排気ポート１０とが形成されており、吸気ポート８には吸気系１１の一部を構成する吸気マニホールド１１が接続されており、排気ポート１０には排気マニホールド（図示せず）が接続されている。
【００１５】
シリンダブロック１及びシリンダヘッド２には、クランク室１３に吹き抜けたブローバイガスを吸気系１１に戻すためのブローバイガス通路１４が形成されている。ブローバイガス通路１４はシリンダブロック１のうち隣り合ったシリンダボア４の間に位置しており、その下端はクランク室１３に開口して、全体的に上下長手になっている。ブローバイガス通路１４の下端はクランク室１３に向けて下向きに開口しており、真下はオイルパン（図示せず）になっている。
【００１６】
ブローバイガス通路１４はそのまま吸気系１１に接続してもよいし、いったん動弁室に開放して、動弁室のブローバイガスと一緒に吸気系１１に還流させてもよい。ブローバイガス通路１４の個数は１つのみでもよいし、複数形成してもよい。
【００１７】
ブローバイガス通路１４の始端部には、オイル通路１５が開口している。オイル通路１５はブローバイガス通路１４よりも内側に位置しており、開口に近づくに従って低くなるように傾斜している。従って、オイルは斜め下向きの姿勢でブローバイガス通路１４に噴出（吐出）する。なお、分図（Ａ）に一点鎖線で示すように、オイル通路１５をブローバイガス通路１４の外側に設けてもよい。なお、ブローバイガス通路１４にバルブを設ける場合は、オイル通路１５はバルブより下方に設ける。
【００１８】
内燃機関はクランク軸６で駆動されるオイルポンプ１６を備えている。オイルポンプ１６は吐出圧を一定に保持するためのリリー弁１７を設けており、弁体を押しのけてリリーフされたオイルは、リリーフ戻り通路１８を介してオイルポンプ１６の吸引通路（図示せず）に戻される。
【００１９】
本実施形態では、リリーフ戻り通路１８とオイル通路１５とを通路１９で接続して、リリーフオイルをブローバイガス通路１４に噴出させるように構成している。もとより、クランク軸６を潤滑するための送油路や、ピストン３を冷却するオイルジェットのための送油路等からオイル通路１５にオイルを供給してもよい。いずれにしても、オイル通路１５はシリンダブロック１に鋳込みで形成しているが、一点鎖線のようにブローバイガス通路１４の外側に形成する場合は、ドリル加工で空けることができる。
【００２０】
クランク室１３に吹き抜けたブローバイガスは、吸気系の負圧によって吸気マニホールド１２に吸引される。そして、（Ｂ）にドット付き矢印で示すように、ブローバイガスにはオイルミストが含まれているが、オイル通路１５からオイルをブローバイガス通路１４に噴出させることにより、オイルミストをオイルで補集することができる。つまり、オイルでオイルを制するのである。
【００２１】
オイル通路１５から噴出したオイルはブローバイガス通路１４の壁に当たって跳ね返るなどしてランダムに動きながら流下するが、オイル通路１５の開口はブローバイガス通路１４の開口から若干の寸法だけ上に設けているので、オイルはクランク室１３に流下するまでの間においてブローバイガス通路１４の内部を広範囲に動き回ることになり、このため、ブローバイガスに含まれていたオイルミストがオイル流に接触する機会は非常に高い。その結果、オイルミストの補集性能を格段に向上できると云える。
【００２２】
本実施形態のようにオイル通路１５をブローバイガス通路１４の下部に開口させると、オイルはすぐにクランク室１３に流下するため、ブローバイガス通路１４が不必要に広く濡れることを防止できて好適である。また、オイルを略下向き（斜め下向き）に噴出させると、オイルは流下方向に流れるため、飛沫がブローバイガス通路１４に滞留することを防止して、オイルミストと一緒に的確に流下させることができる利点である。
【００２３】
また、本実施形態のように、ブローバイガス通路１４に噴出させるオイルとしてオイルポンプ１６のリーフオイルを利用すると、オイル通路１５を設けたことでオイルポンプ１６の能力を高める必要がないため、コストアップを招来することがないと共に、捨てられていた圧力を有効利用できる利点がある。また、機関の回転数が高くなるとブローバイガスの量も増えるが、オイルポンプ１６のリリーフ量も機関の回転数に比例して高くなることにより、オイル通路１５からのオイル噴出量をブローバイガスの量の増大に追従して高くできるため、機関の回転数が変化してもオイルミストを的確に補集できる利点もある。
【００２４】
なお、オイルミストの補集機能を高めるためには、オイルはブローバイガス通路１４の内部でシャワー状になるように、ある程度の速度で噴出させるのが好ましい（過度に高速化させることは、ブローバイガス通路１４の内面への衝突でミスト化を招くおそれがあるので好ましくない。）。シャワー状の噴出を確実化するため、オイル通路１５の開口部にノズルを設けることも可能である。
【００２５】
分図（Ｃ）に示すように、オイル通路１５の開口方向をできるだけ下向きとすることで、オイルがブローバイガス通路１４の内面に殆ど又は全く触れないように構成することも可能である。この場合は、オイル通路１５から噴出したオイルに対するオイルミストの接触機会がより一層高くなるため、オイルミストの補集機能をより一層向上できる。
【００２６】
分図（Ｄ）に示すように、ブローバイガス通路１４に網２１を設けて、この網１８に向けてオイルを噴出させること可能である。このように網１８を設けると、編み目にオイル膜ができるような状態を実現できるため、オイルミストの補集効果をより向上できると云える。網２１は籠状の形態であってもよい。
【００２７】
ブローバイガス通路１４の内面に出っ張りを設けて、この出っ張りに対して斜め下方からオイルを噴出させることも可能である。この場合は、オイルで濡れた出っ張りオイルミストが付着することで、オイルミストの補集効果を向上できると期待される。
【００２８】
本願発明は、上記の実施形態の他にも様々に具体化できる。例えば、ブローバイガス通路の下端部をねじ込み等でシリンダブロックに取り付けできる部材で構成し、その内部をオイルをシャワー状に流下させる部材を設けるといったことも可能である。
【００２９】
また、オイル通路からブローバイガスの流れ抵抗になるようにオイルを噴出させることで、ブローバイガスの還流量を制御することも可能である。但し、この場合はオイル通路から噴出するオイルの量を調節する流量制御装置が必要になる。
【産業上の利用可能性】
【００３０】
本願発明は実際に内燃機関に適用できる。従って、産業上利用できる。
【符号の説明】
【００３１】
１  シリンダブロック
２  シリンダヘッド
３  ピストン
４  シリンダボア
６  クランク軸
１１  吸気系
１２  吸気マニホールド
１３  クランク室
１４  ブローバイガス通路
１５  オイル通路
１６  オイルポンプ
【図１】
2014125952.tif 000003